(57)【要約】【課題】無理な締め付けをせず、バストを下側から持ち上げると共に、左右脇側から前中心に向かってバストを寄せて胸の形を美しく整える機能を有するハーフトップを得る。【解決手段】ハーフトップ前襟刳上端からカップ両脇を通りハーフトップ裾端に至る二枚の伸縮性素材で袋状に構成された前胸部材を有し、前胸部材脇端からバストトップ下方を通り前胸部材他脇端に至る帯状の連続したバスト保持部材を前胸部材下端に添着してなるハーフトップであり、前胸部材は、前胸部材両脇端に接合された脇布によって後背部と結合され、前方脇布上端と後背部がストラップによって結合されてハーフトップを構成している。【選択図】図１
0003150496.tif 000002
【実用新案登録請求の範囲】
【請求項１】
ハーフトップ前襟刳上端からカップ両脇を通りハーフトップ裾端に至る二枚の伸縮性素材で袋状に構成された前胸部材を有し、前胸部材脇端からバストトップ下方を通り前胸部材他脇端に至る帯状の連続したバスト保持部材を前胸部材下端に添着してなるハーフトップ。
【請求項２】
前記帯状のバスト保持部材が、前胸部材脇端において幅広であるＵ字型に形成されている請求項１に記載のハーフトップ。
【請求項３】
前記バスト保持部材が前胸部材脇端において幅広であり、両バスト間において凸部を有する略Ｗ字型である請求項１に記載のハーフトップ。
【請求項４】
前記袋状に構成された前胸部材のハーフトップ衿刳り上端が接着又は圧着テープにより二枚の伸縮性素材を接合してなる請求項１乃至請求項３のいずれかに記載のハーフトップ。
【請求項５】
前記袋状に構成された前胸部材の肌側伸縮性素材に、バストパッド挿入口を設けてなる請求項１乃至請求項４のいずれかに記載のハーフトップ。
【請求項６】
前記前胸部材は、前胸部材両脇端に接合された脇布によって後背部と結合され、前方脇布上端と後背部がストラップによって結合されてハーフトップを構成しており、該脇布が伸縮性素材の大きい素材で形成されている請求項１乃至請求項５のいずれかに記載のハーフトップ。 
【請求項７】
該脇布が二枚の伸縮性素材を接合してなる請求項６に記載のハーフトップ。 
【考案の詳細な説明】
【技術分野】
【０００１】
本考案ハーフトップは、乳房を下側から持ち上げると共に、左右両脇側から前中心に向かって乳房を寄せる効果を有するハーフトップに関する。
【背景技術】
【０００２】
従来、女性の使用するブラジャーとして、乳房を保持し、胸部を美しく整えるために種々の形状のものが提案されている。近年、健康志向が高まりウォーキング、エアロビクス等のフィットネス運動の隆盛もあり、ブラジャーにも種々の工夫がなされている。特に、ハーフトップとして、ブラジャーとキャミソールを兼用するようなタイプのハーフトップが好まれるようになった。
【０００３】
ブラジャーとして、左右一対のカップ各々において、伸縮性がないもしくは伸縮性の少ない生地からなる脇カップ表布を設け、脇カップ表布が肩紐からカップの下縁中央部曲線内側に設けけられており、脇カップ表布と同形状の厚地裏打ち布がカップ裏側に設けられたブラジャーが知られている（特許文献１）。また、ブラジャーのカップの内側に、下辺部のみをカップの下縁部から脇側縁部にかけて略三日月形のパワーネットからなるリフト布を設けたブラジャーも知られている。（特許文献２）。更に、下着生地裏側の要所に非伸縮性又は非常に伸縮性の強い補強布を加熱融着により貼り付けた下着も開示されている（特許文献３）。
【０００４】
ハーフトップとしては、ハーフトップを弾性糸を主体とする筒状編地で編成し、部分的に伸縮性の小さい編地で形成すると共に、アンダーバスト帯を幅広に構成することが知られている（特許文献４）。また、バストを引き寄せ、姿勢を正しく保つためにハーフトップ脇下布に表面に凹凸のある編織地を用いたものも知られている（特許文献５）。
【０００５】
上記のような従来の下着は、非伸縮性又は非常に伸縮性の強い生地を使用するために締め付けが強く、着け心地に問題のあるものが多い。また、接着部分の生地が厚くなり、着用時の身体皮膚への圧力が一様でなく、着心地に難点があった。一方、ハーフトップ下着の形態をしたソフトブラジャーは、伸縮性が良好で圧迫感はないが、全体として伸縮性が大き過ぎるため、胸回り周辺に対する適合性や補整力が小さく、バストの垂れや外側への広がりを防止して胸の形を整える機能が低いという問題がある。
【先行技術文献】
【特許文献】
【０００６】
【特許文献１】特開平１０−２５９５０９号公報
【特許文献２】実用新案登録第３０１６８２９号公報
【特許文献３】実用新案登録第３０９７７５０号公報
【特許文献４】特開２００１−８１６０２号公報
【特許文献５】実用新案登録第３１４６５６０号公報
【考案の概要】
【考案が解決しようとする課題】
【０００７】
本考案は、無理な締め付けをせず、バストを下側から持ち上げると共に、左右脇側から前中心に向かってバストを寄せて胸の形を美しく整える機能を有するハーフトップであり、日常、下着として窮屈感なしに長時間使用することができ、また、その形状も表面から見れば通常のハーフトップと同一であるので、運動やエアロビクス等を行う際には、外衣としても着用可能なハーフトップを得ることを目的とする。
【課題を解決するための手段】
【０００８】
本考案のハーフトップは、ハーフトップ前襟刳上端からカップ両脇を通りハーフトップ裾端に至る二枚の伸縮性素材で袋状に構成された前胸部材を有し、前胸部材脇端からバストトップ下方を通り前胸部材他脇端に至る帯状の連続したバスト保持部材を前胸部材下端に添着したなるハーフトップとした。該バスト保持部材は前胸部材脇端において幅広であるＵ字型、もしくは更に両バスト間において凸部を有する略Ｗ字型とすることができる。
【０００９】
袋状に構成された前胸部材のハーフトップ襟刳り上端を、圧着テープ又は接着テープにより二枚の伸縮性布を接合する。前胸部材は、前胸部材両脇端に接合された脇布によって後背部と結合され、前方脇布上端と後背部がストラップによって結合されているハーフトップを構成しており、該脇布は伸縮性の少ない素材を用いることが好ましく、二枚の伸縮性素材を接合して形成することも出来る。また、前胸部材の肌側伸縮性素材に、バストパッド挿入口を設けることが出来る。
【考案の効果】
【００１０】
本考案のハーフトップは、全体が伸縮性の素材で形成されているので無理な締め付けをせず、日常窮屈感なく使用することができる。本考案のハーフトップは伸縮性の素材で形成はしているが、バストを下側から持ち上げると共に、左右脇側から前中心に向かってバストを寄せて胸の形を美しく整える機能を有するバスト保持部材を袋状に形成した前身頃の胸部分の内部に設けているので、充分なバストアップ効果を得ることが出来る。更に、バストパッドも任意のものを収納して用いることが出来る。本考案のハーフトップは下着として窮屈感なしに長時間使用することができるほか、その形状も表面から見れば通常のハーフトップと同一であるので、運動やエアロビクス等を行う際には、外衣としても着用可能である。
【図面の簡単な説明】
【００１１】
【図１】図１は、本考案のハーフトップを示す正面斜視図である。
【図２】図２は、図１に示した本考案のハーフトップの背面図である。
【図３】図３は、図１に示しハーフトップの前胸部材の裏面を示す図である。
【考案を実施するための形態】
【００１２】
本考案のハーフトップ本体１は、図面に示すように前胸部材２、後背部３、前胸部材２の脇端縁４から後背部３の脇端縁５に至る脇布６，６及び前胸部材２に接する脇布６の上端７、７から後背部３の凸部８，８を結合するストラップ９，９とよりなる。前胸部材２、後背部３、脇下布６，６は、脇端縁４及び脇端縁５において、それぞれ接着又は縫着する。本考案においては、前胸部材２、後背部３、脇布６に伸縮性素材を用いる。ストラップ９，９は、通常用いられるテープ状の紐材を使用しても良いが、伸縮性素材を使用することもできる。
【００１３】
ストラップ９，９を伸縮性素材で形成する場合は、図１、図２に示すように、ストラップ９，９が前胸部材２、後背部３と結合される部分７又は凸部８から肩上方に向かい巾が広くなるように形成することによって、ストラップの肩上にかかる負担を軽減することができる。このように形成したストラップは、二枚の伸縮性素材を張り合わせることで、更にその効果を高めることが出来る。ストラップ９，９には、適宜箇所に結合リングや、長さ調整具１０を設ける。
【００１４】
本考案のハーフトップ本体１の特徴は、前胸部材２の構成にある。図１に示すように、前胸部材２と、脇下布６との接合線である脇端縁４は、前胸部材２上端縁からバストカップ部１１，１１の左右両側を包み込むような曲線によりハーフトップ下縁１２に至る。前胸部材２は、二枚の伸縮性素材を接着せずに袋状に形成する。前胸部１の前襟刳１３は、圧着テープにより圧着部を設けて前胸部材２の身体からの浮き上がりを押さえ、バスト部が上方から覗かれることを防止する。ハーフトップ下縁１２には、通常用いられている幅広の裾ゴム、伸縮性テープ等を接着又は縫着して緊締帯１４とする。
【００１５】
前胸部材２には、図１、図３に示すように、前胸部材２の袋状伸縮性素材の内側に、前胸部材２と同一の伸縮性素材又は同様の伸縮性素材、あるいは伸縮性のない素材よりなるバスト支持部材１５を接着又は縫着する。バスト支持部材１５の形状は前脇部材脇端からバストトップ下方を通り前脇部材地脇端に至る帯状とする。更に好ましくは、該バスト支持部材は前胸部材脇端において幅広であるＵ字型、もしくは更に両バスト間において凸部を有する略Ｗ字型とすることができる。即ち、脇端縁４に接する部分で上下巾が広くなるよう脇端縁４から下方に向かって曲線状に延び、該曲線は、バストカップ部１１，１１の下方部分を覆い、前胸部材２のバストカップ部１１，１１間において中央下縁よりやや立ち上がる部分１６を有する略Ｗ字型とすることができる。バスト支持部材１５は、前胸部材２の下辺全体に延びている。このバスト支持部材１５は、脇端縁４に接する部分を除き、バストトップを越えない幅を有するものとする。
【００１６】
このように、バストの下方から脇下にかけてバストを包み込むようにバスト支持部材１５を圧着もしくは縫着して配置するが、バスト支持部材１５を接着もしくは縫着して配置するのは、袋状前胸部材２の内側であれば表側、肌側のどちらでも良く、また表側、肌側の両方に貼り付けても良い。しかしながら、内側に限定することなく、バスト支持部材１５は、袋状前胸部材２の外側に貼り付けても良い。バスト支持部材１５によって前胸部材２生地のバスト下方の伸縮性が抑えられ、バストを寄せて持ち上げる効果を得ることが出来る。このようにバスト支持部材１５を袋状前胸部材２の内側に貼り付けることで肌に接触する部分の段差が軽減され、着心地を損なうことがない。
【００１７】
前胸部材２の裏面左右上方には、バストパッドをバストカップ部１１，１１に挿入するための挿入口１７，１７を設ける。バストカップ部１１，１１の周囲に該当する部分は、袋状の前胸部材２を任意箇所で接着又は縫合してバストパッドの移動を防止することが出来る。更に、脇下布６は、身頃形成素材と同一の伸縮性素材を接着又は縫着して脇下部分の伸びを抑えることにより、脇部分の肉を押さえ、バスト支持部材１５と共にバストを寄せて引き上げるバストアップ効果を高めることが出来る。
【００１８】
上記のように構成した本考案のハーフトップは、前身頃を袋状に構成した前胸部材で構成し、左右脇側から前中心に向かってバストを寄せて胸の形を美しく整えるバスト支持部材を前胸部材内部下方に設けたので、身体へのフィット性が極めてよく、バストを下側から持ち上げると共に、肌に沿う部分に縫い目等の凹凸がないので着心地が良く、窮屈感なしに長時間使用することができ、運動時等には外衣としても着用可能である。
【符号の説明】
【００１９】
１  ハーフトップ本体
２  前胸部材
３  後背部
４  脇端縁
５  脇端縁
６  脇布
７  脇布上端
８  後背部凸部
９  ストラップ
１０  長さ調整具
１１  バストカップ部
１２  ハーフトップ下縁
１３  前襟刳
１４  緊締帯
１５  バスト支持部材
１６  バスト間立ち上がり部
１７  バストパッド挿入口 
【図１】
0003150496.tif 000003
【図２】
0003150496.tif 000004
【図３】
0003150496.tif 000005
【手続補正書】
【提出日】平成21年3月6日(2009.3.6)
【手続補正１】
【補正対象書類名】実用新案登録請求の範囲
【補正対象項目名】全文
【補正方法】変更
【補正の内容】
【実用新案登録請求の範囲】
【請求項１】
ハーフトップ前襟刳上端からカップ両脇を通りハーフトップ裾端に至る二枚の伸縮性素材で袋状に構成された前胸部材を有し、前胸部材脇端からバストトップ下方を通り前胸部材他脇端に至る帯状の連続したバスト保持部材を前胸部材下端に添着してなるハーフトップ。
【請求項２】
前記帯状のバスト保持部材が、前胸部材脇端において幅広であるＵ字型に形成されている請求項１に記載のハーフトップ。
【請求項３】
前記バスト保持部材が前胸部材脇端において幅広であり、両バスト間において凸部を有する略Ｗ字型である請求項１に記載のハーフトップ。
【請求項４】
前記袋状に構成された前胸部材のハーフトップ襟刳り上端が接着又は圧着テープにより二枚の伸縮性素材を接合してなる請求項１乃至請求項３のいずれかに記載のハーフトップ。
【請求項５】
前記袋状に構成された前胸部材の肌側伸縮性素材に、バストパッド挿入口を設けてなる請求項１乃至請求項４のいずれかに記載のハーフトップ。
【請求項６】
前記前胸部材は、前胸部材両脇端に接合された脇布によって後背部と結合され、前方脇布上端と後背部がストラップによって結合されてハーフトップを構成しており、該脇布が伸縮性素材の大きい素材で形成されている請求項１乃至請求項５のいずれかに記載のハーフトップ。 
【請求項７】
該脇布が二枚の伸縮性素材を接合してなる請求項６に記載のハーフトップ。
【手続補正２】
【補正対象書類名】明細書
【補正対象項目名】０００８
【補正方法】変更
【補正の内容】
【０００８】
本考案のハーフトップは、ハーフトップ前襟刳上端からカップ両脇を通りハーフトップ裾端に至る二枚の伸縮性素材で袋状に構成された前胸部材を有し、前胸部材脇端からバストトップ下方を通り前胸部材他脇端に至る帯状の連続したバスト保持部材を前胸部材下端に添着してなるハーフトップとした。該バスト保持部材は前胸部材脇端において幅広であるＵ字型、もしくは更に両バスト間において凸部を有する略Ｗ字型とすることができる。
【手続補正３】
【補正対象書類名】明細書
【補正対象項目名】００１１
【補正方法】変更
【補正の内容】
【００１１】
【図１】図１は、本考案のハーフトップを示す正面斜視図である。
【図２】図２は、図１に示した本考案のハーフトップの背面図である。
【図３】図３は、図１に示しハーフトップの前胸部材裏面を示す図である。
【手続補正４】
【補正対象書類名】明細書
【補正対象項目名】００１３
【補正方法】変更
【補正の内容】
【００１３】
ストラップ９，９を伸縮性素材で形成する場合は、図１、図２に示すように、ストラップ９，９が前胸部材２、後背部３と結合される部分７又は凸部８から肩上方に向かい巾が広くなるように形成することによって、ストラップの肩上にかかる負担を軽減することができる。このように形成したストラップは、二枚の伸縮性素材を貼り合わせることで、更にその効果を高めることが出来る。ストラップ９，９には、適宜箇所に結合リングや、長さ調整具１０を設ける。
【手続補正５】
【補正対象書類名】明細書
【補正対象項目名】００１６
【補正方法】変更
【補正の内容】
【００１６】
このように、バストの下方から脇下にかけてバストを包み込むようにバスト支持部材１５を接着もしくは縫着して配置するが、バスト支持部材１５を接着もしくは縫着して配置するのは、袋状前胸部材２の内側であれば表側、肌側のどちらでも良く、また表側、肌側の両方に貼り付けても良い。しかしながら、内側に限定することなく、バスト支持部材１５は、袋状前胸部材２の外側に貼り付けても良い。バスト支持部材１５によって前胸部材２生地のバスト下方の伸縮性が抑えられ、バストを寄せて持ち上げる効果を得ることが出来る。このようにバスト支持部材１５を袋状前胸部材２の内側に貼り付けることで肌に接触する部分の段差が軽減され、着心地を損なうことがない。